(57)【要約】【課題】配光特性を広くすることができる照明装置を提供する。【解決手段】センターカバー８０を間にして２つの透光パネル６０が配置されている。透光パネル６０は、本体フレーム１０の中央部から長辺側の縁部に向かう方向に沿って、本体フレーム１０と透光パネル６０との離隔寸法（透光パネル６０の高さ寸法）が減少するように傾斜させてある。これにより、ＬＥＤモジュール２０からの光をより広範囲（例えば、本体フレーム１０の長手方向に直交する向き）に照らすことができ、天井面への配光を多く（配光特性を広く）することができる。【選択図】図２
2010192307.tif 000002
【特許請求の範囲】
【請求項１】
照明装置本体と、該照明装置本体に装着された光源部と、前記照明装置本体から離隔して配され、前記光源部からの光を透過する透光板とを備える照明装置において、
前記透光板は、
前記照明装置本体の縁部に向かって離隔寸法が小さくなるように傾斜してあることを特徴とする照明装置。
【請求項２】
前記照明装置本体に前記光源部と並置され、該光源部を駆動する駆動部を備えることを特徴とする請求項１に記載の照明装置。
【請求項３】
前記駆動部は、
前記照明装置本体の中央部に配置してあり、
前記光源部及び前記透光板は、
前記駆動部の周囲の一部又は全部に配置してあることを特徴とする請求項２に記載の照明装置。
【請求項４】
前記透光板は、前記駆動部を間にして２つ設けてあることを特徴とする請求項３に記載の照明装置。
【請求項５】
前記光源部は、
発光ダイオードからなることを特徴とする請求項１から請求項４のいずれか１項に記載の照明装置。
【発明の詳細な説明】
【技術分野】
【０００１】
本発明は、光源の配光特性を広くすることができる照明装置に関する。
【背景技術】
【０００２】
近年、省電力化及び長寿命化に優れているとして蛍光灯や白熱灯に替わって発光ダイオードなどを光源とする照明装置の開発が行われている。このような照明装置は、複数の発光ダイオード（ＬＥＤ）を実装した基板（ＬＥＤモジュール）、ＬＥＤを駆動する駆動回路（電源回路）などを灯具内に取り付ける構造を有している。
【０００３】
このようなＬＥＤを使用した照明装置は、天井に設置した場合に発光面が下側になるように、ＬＥＤを下側にして基板を配置するとともに、発光面が遮られないように駆動回路や電源回路などを含む部品や回路基板などをＬＥＤモジュールの裏側(上側)に配置した２段構造を採用している。例えば、特許文献１には、基板の前面側に発光ダイオードが実装され、背面側には発光ダイオード駆動回路が配設されるとともに、発光ダイオードから放射される光を制御する制光体を設けた照明装置が開示されている。
【先行技術文献】
【特許文献】
【０００４】
【特許文献１】特開２００５−７１７１１号公報
【発明の概要】
【発明が解決しようとする課題】
【０００５】
しかしながら、特許文献１に開示されたような従来の照明装置の場合、ＬＥＤモジュール（ＬＥＤを実装した基板）とＬＥＤを駆動する駆動回路などの電源装置とを２段構造としている。このような照明装置の配光特性は、いわゆる前面配光であるため、照明装置を天井に設置した場合には、発光ダイオードから照射される光は主に天井面にほぼ垂直な方向に集中する。このため、照明装置周辺の天井面が暗くなり、室内空間が暗く見えてしまうという問題があり、配光特性を改善することが望まれていた。
【０００６】
本発明は斯かる事情に鑑みてなされたものであり、配光特性を広くすることができる照明装置を提供することを目的とする。
【課題を解決するための手段】
【０００７】
本発明に係る照明装置は、照明装置本体と、該照明装置本体に装着された光源部と、前記照明装置本体から離隔して配され、前記光源部からの光を透過する透光板とを備える照明装置において、前記透光板は、前記照明装置本体の縁部に向かって離隔寸法が小さくなるように傾斜してあることを特徴とする。
【０００８】
本発明に係る照明装置は、前記照明装置本体に前記光源部と並置され、該光源部を駆動する駆動部を備えることを特徴とする。
【０００９】
本発明に係る照明装置は、前記駆動部は、前記照明装置本体の中央部に配置してあり、前記光源部及び前記透光板は、前記駆動部の周囲の一部又は全部に配置してあることを特徴とする。
【００１０】
本発明に係る照明装置は、前記透光板は、前記駆動部を間にして２つ設けてあることを特徴とする。
【００１１】
本発明に係る照明装置は、前記光源部は、発光ダイオードからなることを特徴とする。
【００１２】
本発明にあっては、透光板は、照明装置本体の縁部に向かって離隔寸法が小さくなるように傾斜してある。これにより、例えば、照明装置を天井面に設置した場合、光源部からの光は、天井面にほぼ垂直に照射されるのみならず、照明装置の周辺側にも照射される。このため、照明装置の周辺の天井面も光を照射することができ、配光特性を従来よりも広くすることができる。
【００１３】
本発明にあっては、照明装置本体に光源部と並置され、光源部を駆動する駆動部を備える。照明装置本体に光源部と駆動部とを並置することにより、従来のような２段構造とする必要がなく、天井面から透光板の高さ寸法を小さくすることができ、天井面への配光をより多くすることができ、配光特性をさらに広くすることができる。
【００１４】
本発明にあっては、駆動部は、照明装置本体の中央部に配置してあり、光源部及び透光板は、駆動部の周囲の一部又は全部に配置してある。駆動部を照明装置本体の中央部に配置することにより、照明装置本体の縁部付近では透光板を天井面に近づける（高さ寸法を小さくする）ことができ、配光特性をさらに広げることができる。
【００１５】
本発明にあっては、透光板は、駆動部を間にして２つ設けてある。これにより、照明装置を天井面に設置した場合、照明装置を挟んで両側の天井面への配光を多くすることができ、配光特性をさらに広げることができる。
【００１６】
本発明にあっては、光源部は、発光ダイオードからなる。これにより、発光ダイオードを用いた場合に、配光特性を広くすることができる。
【発明の効果】
【００１７】
本発明によれば、配光特性を広くすることができる。
【図面の簡単な説明】
【００１８】
【図１】本発明の実施の形態を示す照明装置の外観斜視図である。
【図２】本発明の実施の形態を示す照明装置の分解斜視図である。
【図３】本発明の実施の形態を示す照明装置の下側から見た平面図である。
【図４】本発明の実施の形態を示す照明装置のセンターカバーを外した状態で下側から見た平面図である。
【図５】図３のＶ−Ｖ線断面図である。
【発明を実施するための形態】
【００１９】
以下、本発明をその実施の形態を示す図面に基づいて説明する。図１は本発明の実施の形態を示す照明装置１００の外観斜視図であり、図２は本発明の実施の形態を示す照明装置１００の分解斜視図であり、図３は本発明の実施の形態を示す照明装置１００の下側から見た平面図であり、図４は本発明の実施の形態を示す照明装置１００のセンターカバー８０を外した状態で下側から見た平面図である。照明装置１００は、照明装置本体としての本体フレーム１０、複数のＬＥＤ２１を基板に実装した光源部としてのＬＥＤモジュール２０、ＬＥＤモジュール２０に所要の電力（電圧あるいは電流でもよい）を供給する駆動部としての電源ユニット３０、商用電源からの電源線を接続する接続端子４０、ＬＥＤモジュール２０からの光を透過する透光板としての透光パネル６０、本体フレーム１０の長手方向に沿って設けられ本体フレーム１０と透光パネル６０とを挟持する側板７０、電源ユニット３０、接続端子４０などを覆うセンターカバー８０、サイドカバー９０などを備えている。
【００２０】
図２に示すように、長方形状の本体フレーム１０の長手方向に沿って２つの仕切板１４、１４を本体フレーム１０上に対設してある。仕切板１４で挟まれる区画は、電源ユニット３０、接続端子４０などがＬＥＤモジュール２０と並置される場所である。また、仕切板１４と本体フレーム１０の長辺側の縁部との間の区画は、それぞれＬＥＤモジュール２０を装着する場所である。すなわち、電源ユニット３０や接続端子４０などを間にして、ＬＥＤモジュール２０が２箇所に分かれて本体フレーム１０に並置されている。
【００２１】
また、図２に示すように、センターカバー８０は、ねじ９１によりサイドカバー９０に固定される。なお、本体フレーム１０の短辺側の縁部にねじ孔を有する金具を立設しておき、センターカバー８０をその金具に固定するようにしてもよい。いずれの場合にも、照明装置１００（本体フレーム１０）を天井等に取り付ける際には、センターカバー８０を外しておき、照明装置１００を天井等に取り付けた後、センターカバー８０を取り付けることができる。
【００２２】
図２に示すように、センターカバー８０は、その長辺側の縁辺がＬ字状に折り曲げた曲部８１を設けてある。曲部８１の縁辺に適長離隔して凹部を設けておき、仕切板１４の対応する位置に突起部などの前記凹部を係止する部材を設けることもできる。これにより、センターカバー８０が本体フレーム１０の方に窪むことを防止できる。なお、曲部８１の縁辺に凹部に代えて凸部を設けておき、仕切板１４の対応する位置に凹部を設けて係止させるようにしてもよい。いずれの構造であっても、センターカバー８０が撓むことを防止することができるものであればよい。
【００２３】
また、図３に示すように、センターカバー８０を間にして２つの透光パネル６０が配置されている。透光パネル６０は、図１、図２に示すように、本体フレーム１０の縁部に向かう方向に沿って、本体フレーム１０と透光パネル６０との離隔寸法（透光パネル６０の高さ寸法）が減少するように傾斜させてある。なお、本体フレーム１０と透光パネル６０との離隔寸法（透光パネル６０の高さ寸法）は、本体フレーム１０の中央部や中央部付近など縁部を除く箇所で縁部での寸法よりも大きくすればよい。これにより、ＬＥＤモジュール２０からの光をより広範囲（例えば、本体フレーム１０の長手方向に直交する向き）に照らすことができ、天井面への配光を多く（配光特性を広く）することができる。
【００２４】
すなわち、透光パネル６０は、本体フレーム１０の縁部に向かって離隔寸法が小さくなるように傾斜してある。これにより、例えば、照明装置１００を天井面に設置した場合、透光パネル６０（ＬＥＤモジュール２０）からの光は、天井面にほぼ垂直に照射されるのみならず、照明装置１００の周辺側にも照射される。このため、照明装置１００の周辺の天井面も光を照射することができ、配光特性を従来よりも広くすることができる。
【００２５】
また、本体フレーム１０にＬＥＤモジュール２０と電源ユニット３０とを並置した構造（２段構造ではない）とすることにより、従来のような２段構造とする必要がなく、天井面から透光パネル６０の高さ寸法を小さくすることができ、天井面への配光をより多くすることができ、配光特性をさらに広くすることができる。
【００２６】
また、電源ユニット３０は、本体フレーム１０のほぼ中央部に配置してあり、ＬＥＤモジュール２０及び透光パネル６０は、電源ユニット３０を間にして２つ設けてある。これにより、照明装置１００を天井面に設置した場合、照明装置１００を挟んで両側の天井面への配光を多くすることができ、配光特性をさらに広げることができる。
【００２７】
なお、上述の例では、ＬＥＤモジュール２０及び透光パネル６０は、電源ユニット３０を間にして２つ設ける構成であるが、これに限定されるものではなく、例えば、ＬＥＤモジュール２０及び透光パネル６０を、電源ユニット３０の周囲の全部に配置してもよい。いずれの場合でも、電源ユニット３０を本体フレーム１０の中央部に配置することにより、本体フレーム１０の縁部付近では傾斜させた透光パネル６０を天井面に近づける（高さ寸法を小さくする）ことができ、配光特性をさらに広げることができる。
【００２８】
また、図４に示すように、本体フレーム１０には、本体フレーム１０を天井等の設置場所に取り付けるための取付孔１１、１１を形成してある。なお、取付孔１１は、一例であって、これに限定されるものではなく、本体フレーム１０を設置場所に取り付けることができる構造であれば、フックや切り欠きなどの部材を用いることもできる。これにより、本体フレーム１０を天井等の設置場所に設置することができる。また、図４に示すように、本体フレーム１０には、複数のビス孔１３を設けることもできる。これにより、天井等に直付けすることもできる。また、本体フレーム１０には、適宜の箇所に電源線などを配線するための配線孔１２、１２を形成してある。
【００２９】
図５は図３のＶ−Ｖ線断面図である。図５に示すように、本体フレーム１０上に電源ユニット３０を間にしてＬＥＤモジュール２０が設けられている。このため、従来のような光源部と電源部とを２段構造とする場合に比べて、照明装置１００の高さ寸法（厚み）を小さくすることができ、薄型の照明装置を実現することができる。
【００３０】
また、ＬＥＤモジュール２０の基板には、電源ユニット３０からの配線を接続するためのコネクタ２３を実装している。また、ＬＥＤモジュール２０からの光を効率良く照射するため、断面視が略コの字状に折り曲げた反射シート２２を設けている。反射シート２２の両縁は、透光パネル６０の両縁に位置するように配置してある。これにより、ＬＥＤモジュール２０からの光が照明装置１００内部に漏れることを防止して、光の取り出し効率を向上させることができる。
【００３１】
また、ＬＥＤモジュール２０からの光を透過する透光パネル６０に隣接して着脱可能なセンターカバー８０を配置してあるので、ＬＥＤモジュール２０からの光を遮ることがない。また、照明装置１００を天井等に取り付ける際には、センターカバー８０を外しておき、本体フレーム１０を天井などの設置場所に取り付けた後、センターカバー８０を取り付けることができるので、作業性が向上する。
【００３２】
以上説明したように、本発明によれば、配光特性を広くすることができ、例えば、天井面に照明装置を設置した場合、照明装置の周辺の天井面を明るくすることができ、室内全体を明るくすることができる。特に、店舗、コンビニ等で使用される照明装置では、室内空間を明るくすることが要望されるので、光源の配光特性を広くして天井面にも光源からの光が照射されるようした本発明に係る照明装置は様々な用途で使用することができる。
【００３３】
上述の実施の形態では、照明装置は、長方形状のいわゆるストレート型の照明装置であったが、照明装置の形状は、ストレート型に限定されるものではなく、いわゆるスクウェア型や円形状のもであってもよい。例えば、円形状の照明装置の場合には、本体フレームは円形状をなし、中央部に電源ユニットを配置し、その周りに同心円状にＬＥＤモジュールを配置すればよい。また、透光パネル６０の形状も長方形状に限定されるものではなく、本体フレームの形状に合わせて、正方形状、円形状、同心円状など他の形状を採用することができる。
【００３４】
上述の実施の形態では、センターカバー８０をねじ留めする構成であったが、これに限定されるものではなく、両方のサイドカバー９０で挟み込む構造であってもよい。また、センターカバー８０のような板状のものに限定されるものではなく、断面形状が湾曲した曲面状のもの、あるいは、スリットを形成したものなど、電源ユニット３０等を覆うものであれば種々の構造を用いることができる。
【００３５】
上述の実施の形態では、板状の仕切板１４を例示して説明したが、板状のものに限定されるものではなく、ＬＥＤモジュール２０と、電源ユニット３０等とを仕切ることができる構造のものであれば、どのようなものでもよい。
【符号の説明】
【００３６】
１０  本体フレーム（照明装置本体）
１１  取付孔
１４  仕切板
２０  ＬＥＤモジュール（光源部）
２１  ＬＥＤ
３０  電源ユニット（駆動部）
６０  透光パネル（透光板）
８０  センターカバー
【図１】
2010192307.tif 000003
【図２】
2010192307.tif 000004
【図３】
2010192307.tif 000005
【図４】
2010192307.tif 000006
【図５】
2010192307.tif 000007